(57)【要約】【課題】電池が不要な発光ルアーを提供する。【解決手段】発光ルアー１０は、内部に空洞部１６を備えたルアー魚体１１と、ルアー魚体１１に外部観察可能に組み込まれた発光素子１２と、ルアー魚体１１内に組み込まれ、発光素子１２を発光させる給電手段１３を具備し、この給電手段１３は、長手方向の一端が固定され、かつ、他端に重錘２３が取り付けられて空洞部１６に屈曲自在に配置されたバイモルフ素子１７と、発光制御回路１８を有する。発光ルアー１０に外力が作用した際に重錘２３に作用する力によってバイモルフ素子１７が発生する電力を発光制御回路１８を通して発光素子１２に供給することにより、発光素子１２を発光させる。【選択図】  図２
2004215609.tif 000002
【特許請求の範囲】
【請求項１】
内部に空洞部を備えたルアー魚体と、
前記ルアー魚体に外部観察可能に組み込まれた発光素子と、
前記ルアー魚体の内部に組み込まれ、前記発光素子を発光させるための電力を前記発光素子に供給する給電手段と、
を具備し、
前記給電手段は、
長手方向の一端が固定され、かつ、他端に重錘が取り付けられて、前記ルアー魚体に設けられた空洞部に屈曲自在に配置され、前記ルアー魚体に外力が作用した際に前記重錘に作用する力によって屈曲することにより発電する圧電素子と、
前記圧電素子の屈曲によって生ずる電力を前記発光素子に送り、前記発光素子の発光を制御する発光制御手段と、
を有することを特徴とする発光ルアー。
【請求項２】
内部に空洞部を備えたルアー魚体と、
前記ルアー魚体に外部観察可能に組み込まれた発光素子と、
前記ルアー魚体の内部に組み込まれ、前記発光素子を発光させるための電力を前記発光素子に供給する給電手段と、
を具備し、
前記給電手段は、
個々に、長手方向の一端が固定され、かつ、他端に重錘が取り付けられて、前記ルアー魚体の空洞部に屈曲方向が異なるようにして屈曲自在に配置された複数の圧電素子と、
前記圧電素子の屈曲によって生ずる電力を前記発光素子に送り、前記発光素子の発光を制御する発光制御手段と、
を有し、
前記ルアー魚体に外力が作用した際に、前記複数の圧電素子にそれぞれ取り付けられた前記重錘に作用する力によって、前記複数の圧電素子の少なくとも１個が屈曲して発電することを特徴とする発光ルアー。
【請求項３】
前記複数の圧電素子として、互いに直交する、前記ルアー魚体の長さ方向と厚さ向と高さ方向にそれぞれ屈曲自在な３個の圧電素子を有することを特徴とする請求項２に記載の発光ルアー。
【請求項４】
前記発光制御手段は、
前記圧電素子が発生した電流を整流する整流回路と、
前記整流回路により整流された電力のうち前記発光素子の発光に必要な電力をリアルタイムに前記発光素子へ送り、余剰電力を一時的にコンデンサに貯蔵し、前記コンデンサから前記発光素子に電力を送ることによって前記発光素子の発光時間を調節する充放電回路と、
を具備することを特徴とする請求項１から請求項３のいずれか１項に記載の発光ルアー。
【請求項５】
前記ルアー魚体は硬質材料からなることを特徴とする請求項１から請求項４のいずれか１項に記載の発光ルアー
【請求項６】
前記発光素子は発光ダイオードであることを特徴とする請求項１から請求項５のいずれか１項に記載の発光ルアー。
【発明の詳細な説明】
【０００１】
【発明の属する技術分野】
本発明はルアー魚体から光を放つ発光ルアーに関する。
【０００２】
【従来の技術】
ルアー漁における釣果を左右する要因の１つとして、ルアーが目的とする魚の視覚によって捉えられ易いものであるか否か、すなわち、ルアーが目的とする魚の注目を引くことができるか否か、という問題がある。そこで、ルアーには視覚的に魚の注目を引くための様々な工夫が凝らされており、その１つとして、ルアー魚体に光源を組み込み、ルアー自体が発光するようにしたもの（以下「発光ルアー」という）がある。
【０００３】
発光ルアーの外観は目的とする魚に応じて様々であるが、発光ルアーにおける光源には、一般的に発光ダイオードが用いられ、この発光ダイオードを発光させる電源としては、リチウム電池等の棒状の小型の電池（一次電池）が利用されている（例えば特許文献１、特許文献２、特許文献３参照）。また、このような電源として、太陽電池とニッケル水素電池等の二次電池とを組み合わせ、太陽電池で発電した電力を二次電池に充電して使用するものもある（例えば、特許文献４参照）。
【０００４】
なお、発光ルアーにおける発光ダイオードの発光態様は、電子回路技術による点滅発光か、または常時発光（点灯）である。また、発光ダイオードの点灯／消灯には、ルアーを分解し、電池を抜き取る方法または同じ場所に電池を逆向きに差し込む等の手動的な方法が採られている。
【０００５】
【特許文献１】
特開平１１−１９６７１６号公報（第４、５頁、第２、３図）
【特許文献２】
特開２０００−１５７１０７号公報（第３、４頁、第３図）
【特許文献３】
特開２０００−２０１５７８号公報（第３頁、第２図）
【特許文献４】
特開平１０−２５７８３９号公報（第４頁、第２図）
【０００６】
【発明が解決しようとする課題】
しかしながら、リチウム電池等の一次電池を使用した場合には、発光ダイオードを点灯／消灯するために、現場においてルアーを分解しなければならない煩雑さがある。また、電池切れに備えて予備の電池を常備する必要があり、例えば、予備の電池の準備を忘れてしまった場合や、この予備の電池を使い切ってしまった場合には、それ以上は漁ができなくなる問題がある。
【０００７】
また、発光ダイオードは輝度が高い反面において照度が低いので、発光ダイオードを常時発光させると、魚に対する視覚的アピール効果が小さくなり、これによって期待の釣果が得られ難いという問題がある。また、発光ダイオードを回路技術によって点滅駆動するものについては、ルアーの動きとは関係なく発光ダイオードが点滅する不自然さがあり、これによって期待の釣果が得られ難くなるという問題がある。
【０００８】
さらに、太陽電池と二次電池とを組み合わせた電源を備えたルアーにあっては、電池交換の必要がないためにルアーを分解する必要もないが、例えば、透明度が高く水中が明るい場合や水面近傍等の極希な環境を除いては、水中では太陽電池による発電を期待することができない。このため、漁の開始前にルアーを十分に太陽光にあてて太陽電池を動作させ、二次電池を充電しておく必要がある。
【０００９】
本発明はこのような事情に鑑みてなされたものであり、電池が不要な発光ルアー、換言すれば、電池交換や充電操作を必要としない発光ルアーを提供することを目的とする。また、本発明は、ルアーの動きに合わせた自然な点滅発光が可能である発光ルアーを提供することを目的とする。
【００１０】
【課題を解決するための手段】
本発明によれば、内部に空洞部を備えたルアー魚体と、
前記ルアー魚体に外部観察可能に組み込まれた発光素子と、
前記ルアー魚体の内部に組み込まれ、前記発光素子を発光させるための電力を前記発光素子に供給する給電手段と、
を具備し、
前記給電手段は、
長手方向の一端が固定され、かつ、他端に重錘が取り付けられて、前記ルアー魚体に設けられた空洞部に屈曲自在に配置され、前記ルアー魚体に外力が作用した際に前記重錘に作用する力によって屈曲することにより発電する圧電素子と、
前記圧電素子の屈曲によって生ずる電力を前記発光素子に送り、前記発光素子の発光を制御する発光制御手段と、
を有することを特徴とする発光ルアー、が提供される。
【００１１】
また、本発明によれば、内部に空洞部を備えたルアー魚体と、
前記ルアー魚体に外部観察可能に組み込まれた発光素子と、
前記ルアー魚体の内部に組み込まれ、前記発光素子を発光させるための電力を前記発光素子に供給する給電手段と、
を具備し、
前記給電手段は、
個々に、長手方向の一端が固定され、かつ、他端に重錘が取り付けられて、前記ルアー魚体の空洞部に屈曲方向が異なるようにして屈曲自在に配置された複数の圧電素子と、
前記圧電素子の屈曲によって生ずる電力を前記発光素子に送り、前記発光素子の発光を制御する発光制御手段と、
を有し、
前記ルアー魚体に外力が作用した際に、前記複数の圧電素子にそれぞれ取り付けられた前記重錘に作用する力によって、前記複数の圧電素子の少なくとも１個が屈曲して発電することを特徴とする発光ルアー、が提供される。
【００１２】
この発光ルアーにおいては、ルアー魚体において互いに直交する３方向（つまりルアー魚体の長さ方向と厚さ向と高さ方向）にそれぞれ１個の圧電素子（計３個の圧電素子）を屈曲自在に配置することによって、ルアー魚体がどの方向に力を受けても、いずれかの圧電素子に発電させることができる。
【００１３】
これら本発明に係る発光ルアーでは、ルアー魚体に内蔵された圧電素子によって発電される電力を用いて発光素子を発光させるために、一次電池や太陽電池、二次電池を用いない。これにより、電池交換作業や充電作業を行う必要がない。また、例えば、釣り人が竿を操作することによって道糸を介してルアーを動かす場合や波等によってルアー魚体が動く場合、つまりルアーに外力が掛かった場合に、ルアー魚体に内蔵された圧電素子が屈曲して発電し、この電力によって発光素子を発光させるために、ルアーの動きに合わせた自然な発光が可能となる。
【００１４】
発光素子の発光を制御する発光制御手段は、圧電素子が発生した電流を整流する整流回路と、整流回路により整流された電力のうち発光素子の発光に必要な電力をリアルタイムに発光素子へ送り、余剰電力を一時的にコンデンサに貯蔵し、このコンデンサから発光素子に電力を送ることによって発光素子の発光時間を調節する充放電回路と、を具備する。これにより、例えば、圧電素子が屈曲していない程度にルアーが動いている場合にも、コンデンサに貯えられた電力を用いて発光素子を発光させることができる。
【００１５】
本発明の発光ルアーにおいては、ルアー魚体を硬質材料で構成することができる。したがって大型回遊魚等をターゲットにした発光ルアーにおいても、十分な強度を確保することができる。屈曲変位を生ずる圧電素子としては、バイモルフ素子、ユニモルフ素子、モノモルフ素子、マルチモルフ素子を挙げることができる。また、発光素子としては発光ダイオードが好適に用いられ、例えば、発光ダイオードをルアー魚体の両眼部分に組み込むことができる。
【００１６】
【発明の実施の形態】
以下、本発明の実施の形態について図面を参照しながら説明する。図１は、発光ルアー１０の概略側面図、図２はおよび図３はその概略断面図、である。ここで、以下の説明を容易にするために、発光ルアー１０において、直交座標軸を、頭部から尾鰭に向かう長手方向軸をＸ軸とし、腹から背に向かう方向軸をＺ軸とし、胸部を貫く方向軸をＹ軸と規定する。
【００１７】
発光ルアー１０は、内部に空洞部１６を有する疑似魚形状のルアー魚体１１と、ルアー魚体１１に外部観察可能に取り付けられた発光素子１２と、発光素子１２を発光させるために空洞部１６に設けられた給電手段１３と、を有している。ルアー魚体１１は、例えば、鉛や亜鉛ダイカスト等の金属材料、エポキシ樹脂やＡＢＳ樹脂等のエンジニアリングプラスチック材料、セラミックス材料、磁器材料、ガラス材料、繊維強化プラスチック材料等の各種の硬質材料から構成される。ルアー魚体１１の表面には、種々の飾り（例えば、鱗片部材）を取り付けたり、各種の模様（例えば、縞模様や鱗模様等）を描くことができる。
【００１８】
図３に示されるように、ルアー魚体１１は、Ｚ−Ｘ面でほぼ２等分されたルアー魚体部材１１ａ・１１ｂを、例えば、接着剤を用いて接着することにより、一体化されており（図３には接着層を図示せず）、この接着層が空洞部１６への浸水を防止するシール材の役割を果たしている。なお、ルアー魚体部材１１ａ・１１ｂどうしをネジ止め等によって一体化させてもよく、この場合には、例えば、空洞部１６への浸水を防止するために、外郭にそってシールリングを配置することが好ましい。
【００１９】
ルアー魚体部材１１ａの口部、腹部、尾部近傍には、それぞれアイ金具１４ａ・１４ｂ・１４ｃが埋設されており、アイ金具１４ｂ・１４ｃにはそれぞれフック（針）１５ａ・１５ｂが取り付けられている。アイ金具１４ａには道糸が取り付けられる。フック１５ａ・１５ｂを取り付けるためのアイ金具１４ｂ・１４ｃの固定位置は、図１と図２に示した位置に限定されるものではない。アイ金具１４ａ〜１４ｃは略Ｔ字型の形状を有しており、大きな力が掛かった場合にもルアー魚体部材１１ａから抜け難い構造となっている。
【００２０】
発光素子１２としては、発光ダイオードが好適に用いられる。発光ダイオードの発光色には限定はない。発光ルアー１０においては、発光素子１２は、ルアー魚体１１の両眼としてルアー魚体１１に組み込まれているが、発光素子１２はその他の部分にも設けることが可能である。
【００２１】
給電手段１３は、屈曲変位型圧電素子の１つであるバイモルフ素子１７と、バイモルフ素子１７の屈曲により発生する電力を発光素子１２に送り、発光素子１２の発光を制御する発光制御回路１８を有している。なお、発光制御回路１８の回路基板は空洞部１６に固定される。バイモルフ素子１７は、矩形で厚さが薄く、表裏面に電極（図示せず）が形成されている圧電セラミックス板２１ａ・２１ｂがそれぞれ、金属薄板やＦＲＰ（繊維強化プラスチック）薄板、樹脂シート等の補強板２２の表面と裏面に貼り合わされた構造を有している。
【００２２】
バイモルフ素子１７は、空洞部１６に固定されている固定治具２４に、その長手方向（Ｘ方向）の一端が保持され、かつ、その主面がＺ方向を向くようにして、空洞部１６内に配置されており、長手方向の他端が自由端となっている。このため、バイモルフ素子１７はＺ方向に屈曲可能である。バイモルフ素子１７の自由端には、例えば、鉛等の比重の大きい金属材料で構成される重錘２３が取り付けられており、釣り人が竿を操作して道糸を介して発光ルアー１０を動かしたり、または波等によって発光ルアー１０が揺れる等して、発光ルアー１０にＺ方向の力が掛かったときには、重錘２３にも同様にＺ方向の力が掛かる。これによりバイモルフ素子１７は大きく屈曲し、続いて自由振動し、やがて減衰して静止する。圧電セラミックス板２１ａ・２１ｂには屈曲時に圧電効果によって電圧が発生するため、圧電セラミックス板２１ａ・２１ｂにおいて発生した電力は、発光制御回路１８を通して発光素子１２に送られ、発光素子１２を発光させる。
【００２３】
図４は発光制御回路１８の構成を示す説明図である。発光制御回路１８は、バイモルフ素子１７が発生した電流を整流する整流回路３１と、整流回路３１によって整流された電力の一部を貯蔵するとともに、貯蔵した電力を発光素子１２へ供給する充放電回路３２を有している。整流回路３１は、ダイオード３３がホイートストンブリッジ型に接続された構成を有する。また、充放電回路３２は、電力を貯蔵／放出するコンデンサ３４と、コンデンサ３４と直列に接続された抵抗素子３５から構成されている。
【００２４】
このような発光制御回路１８によれば、整流回路３１により整流された電力のうち発光素子１２の発光に必要な電力が、リアルタイムに発光素子１２へと送られて発光素子１２を発光させる。また、残りの電力（つまり余剰電力）が一時的にコンデンサ３４に貯蔵されるために、バイモルフ素子１７が発電しなくなっても、コンデンサ３４から発光素子１２に電力が送られることによって発光素子１２の発光時間を長くすることができる。発光素子１２の発光時間は、抵抗素子３５の抵抗値によって決定される。
【００２５】
このように発光ルアー１０では、発光ルアー１０に掛かる力によってバイモルフ素子１７を屈曲させ、発光素子１２の発光に必要な電力を得ているために、電池を必要としない。したがって電池交換や電池充電を行う必要がなく、また予備電池を準備する必要もない。また、発光素子１２は発光ルアー１０の動きに合わせて発光するために、従来の発光ルアーで問題となっていた発光ルアーの動きと発光素子の発光とのタイミングのずれや定期的な発光素子の発光等の不自然さが解消され、集魚効果を高めることができる。
【００２６】
次に、本発明に係る発光ルアーの別の実施形態について説明する。図５は発光ルアー５０の構造を示す概略断面図である。発光ルアー５０は、内部に空洞部５２を有するルアー魚体５１と、ルアー魚体５１に外部観察可能に取り付けられた発光素子１２と、発光素子１２を発光させるために空洞部５２に設けられた給電手段５３と、を有している。図６は、給電手段５３の構成および給電手段５３と発光素子１２との電気的な接続形態を模式的に示す説明図である。図５には給電手段５３と発光素子１２との電気的な接続形態は図示していない。
【００２７】
ルアー魚体５１は、ルアー魚体部材５１ａと、ルアー魚体部材５１ａの腹部に取り付けられた重石部材５１ｂから構成されている。例えば、ルアー魚体部材５１ａに比重の小さい材料が用いられている場合に、重石部材５１ｂとして鉛板等の比重の大きい材料を用いることにより、発光ルアー５０の重さと重量バランスを調整することができる。勿論、ルアー魚体部材５１ａは金属材料や磁器材料から構成されていてもよい。
【００２８】
空洞部５２はルアー魚体部材５１ａに形成され、重石部材５１ｂをルアー魚体部材５１ａに接着することによって空洞部５２は外部と遮断される。ルアー魚体部材５１ａの口部、尾鰭部にはそれぞれアイ金具５４ａ・５４ｂが固定されており、アイ金具５４ａには道糸を、アイ金具５４ｂにはフック（図示せず）を取り付けることができるようになっている。
【００２９】
給電手段５３は、３個のバイモルフ素子５７ａ・５７ｂ・５７ｃと、バイモルフ素子５７ａ〜５７ｃの屈曲により発生する電力を発光素子１２に送り、発光素子１２の発光を制御する発光制御回路５８を有している。バイモルフ素子５７ａ〜５７ｃの構造は、先に説明したバイモルフ素子１７と同じであるので、ここでは詳細な説明を割愛する。空洞部５２の所定の位置にバイモルフ素子５７ａ〜５７ｃをそれぞれ保持する固定治具５５ａ〜５５ｃが設けられており、バイモルフ素子５７ａは主面がＸ方向を向くように固定治具５５ａに固定され、バイモルフ素子５７ｂは主面がＹ方向を向くように固定治具５５ｂに固定され、バイモルフ素子５７ｃは主面がＺ方向を向くように固定治具５５ｃに固定されている。
【００３０】
バイモルフ素子５７ａはＸ方向に、バイモルフ素子５７ｂはＹ方向に、バイモルフ素子５７ｃはＺ方向に、それぞれ屈曲可能である。釣り人が竿を操作して道糸を介して発光ルアー１０を動かしたり、または波等によって発光ルアー１０が揺れる等して、発光ルアー１０に力が掛かったときには、バイモルフ素子５７ａ〜５７ｃの少なくとも１つは、その自由端に固定された重錘に加わる力によって屈曲し、続いて自由振動し、やがて減衰して静止する。
【００３１】
バイモルフ素子５７ａが発電する電力は整流回路３１ａを通して発光素子１２へ送られる。同様に、バイモルフ素子５７ｂが発電する電力は整流回路３１ｂを通して発光素子１２へ送られ、バイモルフ素子５７ｃが発電する電力は整流回路３１ｃを通して発光素子１２へ送られる。バイモルフ素子５７ａ〜５７ｃのそれぞれに整流回路３１ａ〜３１ｃを設けることによって、例えば、バイモルフ素子５７ａの負の電圧とバイモルフ素子５７ｂの正の電圧とが打ち消しあって、電力が得られなくなることを防止することができる。
【００３２】
図１から図３に示した発光ルアー１０では、Ｘ方向やＹ方向に力が掛かった場合にはバイモルフ素子１７は屈曲し難く、したがって発光素子１２を発光させ難い。しかし発光ルアー５０では、どの方向に力が掛かってもバイモルフ素子５７ａ〜５７ｃの少なくとも１つが屈曲して発電するために、発光素子１２を発光させることができる。したがって、発光ルアー５０は、発光ルアー１０よりもさらにその動きに合わせた自然な発光を実現することができる。
【００３３】
以上、本発明の実施の形態について説明してきたが、本発明はこのような形態に限定されるものではない。例えば、上記説明においては、屈曲変位型圧電素子としてバイモルフ素子を取り上げたが、表裏面に電極が形成された圧電セラミックス板を補強板の片面に貼り付けて構成されるユニモルフ素子や、表裏面に電極が形成された圧電セラミックス板のみからなるモノモルフ素子、圧電セラミックス薄板と電極を交互に積層し、これらの電極を１層おきに接続してなるマルチモルフ素子、このようなマルチモルフ素子を補強板の片面または両面に貼り付けて構成される積層型ユニモルフ素子または積層型バイモルフ素子、を用いることができる。
【００３４】
発光素子１２は発光ダイオードに限定されるものではなく、また、発光素子１２はルアー魚体における目の部分に限定して設けなければならないものでもない。図７は発光ルアーに適用可能な発光システム６０の概略構成図である。ルアー魚体１１の一方の体側部には５個の拡散レンズ６１ａ〜６１ｅ（他方の体側部（紙面の裏側）にも同様に拡散レンズが配置されているが図示せず）が外部観察可能に取り付けられている。拡散レンズ６１ａ〜６１ｅとしては、安価なプラスチックレンズを用いることができる。拡散レンズ６１ａ〜６１ｅとしては、外径や色の異なるものを用いることができる。
【００３５】
給電手段１３は１個の発光ダイオード６３を発光させる。このために先に図４に示したように給電手段１３が２個の発光ダイオード１２を発光させる場合と比較すると、発光ダイオード６３により大きな電力を投入することができるので、発光ダイオード６３としては発光ダイオード１２よりも高輝度のものを用いることができる。発光ダイオード６３はルアー魚体１１の内部に形成されている空洞部１６（図示せず）に配置することができる。
【００３６】
発光ダイオード６３が発する光は、ルアー魚体１１内に設けられた光ファイバー６２ａ〜６２ｅによってそれぞれ拡散レンズ６１ａ〜６１ｅに伝送されるようになっており、発光ダイオード６３の発光と同時に拡散レンズ６１ａ〜６１ｅを発光させることができるようになっている。光ファイバー６２ａ〜６２ｅとしては、プラスチック光ファイバーを用いることができる。このような発光システム６０を用いれば、拡散レンズの数と色、配設位置を種々に変えた発光ルアーを作製することができる。
【００３７】
本発明に係る発光ルアーに採用される発光システムとしては、ルアー魚体に発色光の異なる複数の発光ダイオードを配設し、その中から所定の発光色を有するものを選択して発光させる発光制御装置（ＣＰＵ）をルアー魚体内に装備させたものを用いることもできる。この場合には発光制御装置もまたバイモルフ素子が発生する電力によって動作するように回路を構成する。そして、例えば、発光ルアー５０を例に挙げると、両眼とそれ以外の部分に発色光の異なる複数の発光ダイオード（例えば、赤、黄、緑）を設け、バイモルフ素子５７ａによる電力によって赤色の発光ダイオードが発光し、バイモルフ素子５７ｂによる電力によって黄色の発光ダイオードが発光し、バイモルフ素子５７ｃによる電力によって緑色の発光ダイオードが発光するような構成としてもよい。
【００３８】
上記説明においては、発光ルアーの外形として魚形のものを示したが、発光ルアーの外形はこのような形態に限るものではなく、ルアー漁の目的とする獲物に応じて、例えばエビやカニ、タコやイカ等の各種水生生物の形態とすることができる。
【００３９】
【発明の効果】
上述の通り、本発明の発光ルアーによれば、屈曲変位型圧電素子が発生する電力を用いて発光素子を発光させるために電池を用いる必要がない。したがって電池交換や太陽電池による充電作業といった煩雑な作業を行わなくともよく、予備の電池の容易する必要もない。また、ルアーの動きに合わせた、自然な点滅発光または点灯が可能であるために、集魚効果を高めることができる。
【図面の簡単な説明】
【図１】本発明に係る発光ルアーの概略側面図。
【図２】図１に示す発光ルアーの概略断面図。
【図３】図１に示す発光ルアーの別の概略断面図。
【図４】図１に示す発光ルアーに組み込まれた発光制御回路の構成を示す説明図。
【図５】本発明に係る別の発光ルアーの概略断面図。
【図６】図５に示す発光ルアーに組み込まれた発光制御回路の構成を示す説明図。
【図７】発光ルアーに採用される発光システムの一例を示す説明図。
【符号の説明】
１０；発光ルアー
１１；ルアー魚体
１１ａ・１１ｂ；ルアー魚体部材
１２；発光素子
１３；給電手段
１４ａ・１４ｂ・１４ｃ；アイ金具
１５ａ・１５ｂ；フック（針）
１６；空洞部
１７；バイモルフ素子
１８；発光制御回路
２１ａ・２１ｂ；圧電セラミックス板
２２；補強板
２３；重錘
２４；固定治具
３１・３１ａ・３１ｂ・３１ｃ；整流回路
３２；充放電回路
３３；ダイオード
３４；コンデンサ
３５；抵抗素子
５０；発光ルアー
５１；ルアー魚体
５１ａ；ルアー魚体部材
５１ｂ；重石部材
５２；空洞部
５３；給電手段
５５ａ・５５ｂ・５５ｃ；固定治具
５７ａ・５７ｂ・５７ｃ；バイモルフ素子
５８；発光制御回路
６０；発光システム
６１ａ〜６１ｅ；拡散レンズ
６２ａ〜６２ｅ；光ファイバー
６３；発光ダイオード
【図１】
2004215609.tif 000003
【図２】
2004215609.tif 000004
【図３】
2004215609.tif 000005
【図４】
2004215609.tif 000006
【図５】
2004215609.tif 000007
【図６】
2004215609.tif 000008
【図７】
2004215609.tif 000009